(57)【特許請求の範囲】
【請求項１】
第１網基盤の付加サービスを提供する第１付加サービス装置と、
第２網基盤の付加サービスを提供する第２付加サービス装置と、
要求された付加サービスの種類によって、前記第１付加サービス装置または前記第２付加サービス装置に選択的に接続する移動通信交換局（ＭＳＣ）とを備え、
前記第１付加サービス装置および第２付加サービス装置のそれぞれが、前記第１網基盤に属する第１端末および前記第２網基盤に属する第２端末のいずれにも該当付加サービスを提供することを特徴とする異種通信網間の付加サービスをするための連動装置。
【請求項２】
前記移動通信交換局が、前記要求された付加サービスの種類によって接続された前記第１付加サービス装置または前記第２付加サービス装置に、音声メッセージおよび前記付加サービスを制御するためのデジット情報を、伝送形式を変換して伝送することを特徴とする請求項１に記載の異種通信網間の付加サービスをするための連動装置。
【請求項３】
前記第１端末と前記第２付加サービス装置との接続が設定された場合に、前記移動通信交換局が、前記第２付加サービス装置から伝送されるＰＣＭ形式の前記音声メッセージを、ＡＭＲ形式に変換して前記第１端末に伝送することを特徴とする請求項２に記載の異種通信網間の付加サービスをするための連動装置。
【請求項４】
前記第１端末と前記第２付加サービス装置との接続が設定された場合に、前記移動通信交換局が、前記第１端末から伝送される前記デジット情報を、ＤＴＭＦ信号に変換して前記第２付加サービス装置に伝送することを特徴とする請求項２に記載の異種通信網間の付加サービスをするための連動装置。
【請求項５】
前記第２端末と前記第１付加サービス装置との接続が設定された場合に、前記移動通信交換局が、前記第１付加サービス装置から伝送されるＡＭＲ形式の前記音声メッセージをＰＣＭ形式に変換して前記第１端末に伝送することを特徴とする請求項２に記載の異種通信網間の付加サービスをするための連動装置。
【請求項６】
前記第２端末と前記第１付加サービス装置との接続が設定された場合に、前記移動通信交換局が、前記第２端末から伝送される前記デジット情報を、ＡＡＬ２  ＤＴＭＦ信号メッセージに変換して前記第１付加サービス装置に伝送することを特徴とする請求項２に記載の異種通信網間の付加サービスをするための連動装置。
【請求項７】
前記第１端末と前記第１付加サービス装置との接続が設定された場合に、前記移動通信交換局が、前記第１端末から伝送される前記デジット情報を、ＡＡＬ２  ＤＴＭＦ信号メッセージに変換して前記第１付加サービス装置に伝送することを特徴とする請求項２に記載の異種通信網間の付加サービスをするための連動装置。
【請求項８】
前記第１網基盤が、ＡＴＭ基盤の通信網を含むことを特徴とする請求項１に記載の異種通信網間の付加サービスをするための連動装置。
【請求項９】
前記第２網基盤が、ＴＤＭ基盤の通信網を含むことを特徴とする請求項１に記載の異種通信網間の付加サービスをするための連動装置。
【請求項１０】
前記移動通信交換局は、
前記要求に従って、前記第１網基盤と回線が整合されるＡＡＬ２整合部と、
前記要求に従って、前記第２網基盤と回線が整合されるトランク整合部と、
音声メッセージを、前記要求を送信した前記第１網基盤または前記第２網基盤の音声コーディング方式で変換して送信するボコーディング部と、を包含して構成されることを特徴とする請求項１に記載の異種通信網間の付加サービスをするための連動装置。
【請求項１１】
前記移動通信交換局は、
前記第１端末または前記第２端末から伝送される付加サービスを制御するためのデジット情報をＤＴＭＦ信号に変換した後ＡＡＬ２信号メッセージに形成するＡＡＬ２整合部と、
該ＡＡＬ２整合部から伝送されるメッセージをＡＴＭに交換するＡＴＭスイッチと、
該ＡＴＭスイッチによりスイッチングされたメッセージを前記第２網基盤で使用されるオーディオコーディング方式でボコーディングし、前記第２網基盤から伝送されたメッセージから音声信号とＤＴＭＦ信号とを区分してＡＡＬ２整合を遂行するボコーディング部と、
ＤＴＭＦ信号を送受信するＤＴＭＦ送受信部と、
前記ボコーディング部及びＤＴＭＦ送受信部間に送受信されるメッセージをタイムスイッチングするタイムスイッチと、
該タイムスイッチによりスイッチングされたメッセージを前記第２網基盤と整合させるトランク整合部と、
前記移動通信交換局の各構成要素をそれぞれ制御する各制御器と、を包含して構成されることを特徴とする請求項１に記載の異種通信網間の付加サービスをするための連動装置。
【請求項１２】
前記ボコーディング部は、
前記タイムスイッチとメッセージ伝送速度を整合する速度整合部と、
該速度整合部から出力される信号メッセージからＤＴＭＦ信号を検出して、音声トラフィック整合とＤＴＭＦ信号トラフィック整合とを制御し、前記ＡＴＭスイッチによりスイッチングされたＡＭＲオーディオコーディングされた音声メッセージをＰＣＭオーディオコーディングされた音声メッセージに変換するボコーダーと、
該ボコーダーの制御によって、音声メッセージをＡＡＬ２トラフィックメッセージに、ＤＴＭＦ信号をＡＡＬ２信号メッセージにそれぞれ変換するＡＡＬ２整合部と、を包含して構成されることを特徴とする請求項１１に記載の異種通信網間の付加サービスをするための連動装置。
【請求項１３】
付加サービスの要求が受信されると、要求した端末と接続する付加サービス装置を確認する第１過程と、
前記端末と前記付加サービス装置との接続を設定する第２過程と、
前記端末が属する網基盤と前記付加サービス装置が属する網基盤とによって、音声信号の変換または伝送を選択的に行なう第３過程と、
前記端末が属する網基盤と前記付加サービス装置が属する網基盤とによって、付加サービスを制御するためのデジット情報の変換を行なって伝送する第４過程と、
を含む異種通信網間の付加サービスをするための連動方法。
【請求項１４】
前記付加サービス装置がＡＴＭ網基盤に属する場合、前記接続がＡＡＬ２仮想回線であることを特徴とする請求項１３に記載の異種通信網間の付加サービスをするための連動方法。
【請求項１５】
前記付加サービス装置がＴＤＭ網基盤に属する場合、前記接続がＴＤＭ網基盤の接続であることを特徴とする請求項１３に記載の異種通信網間の付加サービスをするための連動方法。
【請求項１６】
前記第３過程は、
前記端末と前記付加サービス装置とがＡＴＭ網基盤に属する場合、移動通信交換局が前記端末と前記付加サービス装置との間に前記音声信号の伝送を行う過程と、
前記端末がＴＤＭ網基盤に属し、前記付加サービス装置がＡＴＭ網基盤に属する場合、前記移動通信交換局が前記付加サービス装置から伝送される前記音声信号をＰＣＭ形式に変換して送信する過程と、
前記端末がＡＴＭ網基盤に属し、前記付加サービス装置がＴＤＭ網基盤に属する場合、前記移動通信交換局が前記付加サービス装置から伝送される前記音声信号をＡＭＲ形式に変換して送信する過程と、
を含むことを特徴とする請求項１３に記載の異種通信網間の付加サービスをするための連動方法。
【請求項１７】
前記第４過程は、
前記端末と前記付加サービス装置とがＡＴＭ網基盤に属する場合、移動通信交換局が前記端末から伝送される前記デジット情報をＡＡＬ２  ＤＴＭＦ信号メッセージに変換して送信する過程と、
前記端末がＴＤＭ網基盤に属し、前記付加サービス装置がＡＴＭ網基盤に属する場合、前記移動通信交換局が前記端末から伝送されるＤＴＭＦ形式の前記デジット情報をＡＡＬ２  ＤＴＭＦ信号メッセージに変換して送信する過程と、
前記端末がＡＴＭ網基盤に属し、前記付加サービス装置がＴＤＭ網基盤に属する場合、前記移動通信交換局が前記端末から伝送される前記デジット情報をＤＴＭＦ信号に変換して送信する過程と、
を含むことを特徴とする請求項１３に記載の異種通信網間の付加サービスをするための連動方法。
【請求項１８】
ＡＴＭ基盤の移動通信網に属する前記端末がＴＤＭ基盤の通信網に属する前記付加サービス装置に付加サービスを要求する場合、ＡＴＭ基盤の移動通信の交換局（ＭＳＣ）と前記ＴＤＭ基盤の通信網間に、ＩＳＵＰを利用してＴＤＭ基盤の音声コールの連結を遂行する過程と、
前記ＴＤＭ基盤の通信網と前記付加サービス装置との間に、ＴＤＭ基盤の音声コールを連結する過程と、
前記付加サービス装置からＰＣＭオーディオコーディングされた案内メッセージがＴＤＭ基盤の回線を通して前記ＭＳＣに伝送されると、前記ＰＣＭオーディオコーディングされた案内メッセージをＡＭＲオーディオコーディングされた案内メッセージに変換した後、前記端末に伝送する過程と、
前記端末から前記付加サービスを制御するためのデジット情報が前記ＭＳＣに受信されると、前記デジット情報をＤＴＭＦ信号に変換した後、前記ＴＤＭ基盤の回線を通して前記付加サービス装置に伝送する過程と、
前記ＴＤＭ基盤の回線を通して受信されたＤＴＭＦ信号を分析し、前記端末が所望する付加サービスを提供する過程と、を順次行うことを特徴とする請求項１３に記載の異種通信網間の付加サービスをするための連動方法。
【請求項１９】
ＴＤＭ基盤の通信網に属する前記端末がＡＴＭ基盤の移動通信網に属する前記付加サービス装置に付加サービスを要求する場合、ＩＳＵＰを利用して前記ＴＤＭ基盤の通信網と前記ＡＴＭ基盤の移動通信網に接続された交換局（ＭＳＣ）との間にＴＤＭ基盤の回線連結を遂行する過程と、
前記ＭＳＣと前記付加サービス装置間にＢ−ＩＳＵＰ及びＡＡＬ２を利用してＡＡＬ２仮想回線を連結する過程と、
前記付加サービス装置からＡＭＲオーディオコーディングされた案内メッセージが前記ＭＳＣに受信されると、前記ＡＭＲオーディオコーディングされた案内メッセージをＰＣＭオーディオコーディングされた案内メッセージに変換した後、前記ＴＤＭ基盤の通信網を通して前記端末に伝送する過程と、
前記案内メッセージを受信した前記端末から前記付加サービスを制御するためのデジット情報を前記ＴＤＭ基盤の回線を通してＤＴＭＦ信号方式で受信する過程と、
前記ＤＴＭＦ信号をＡＡＬ２のＳＳＣＦを利用してＡＡＬ２  ＤＴＭＦ信号メッセージに形成した後、前記ＭＳＣから前記付加サービス装置に伝送する過程と、
前記交換局（ＭＳＣ）から伝送されるＡＡＬ２メッセージをチェックしてＡＡＬ２  ＤＴＭＦ信号メッセージが検出されると、ＤＴＭＦ信号を分析して前記端末が所望する付加サービスを提供する過程と、を順次行うことを特徴とする請求項１３に記載の異種通信網間の付加サービスをするための連動方法。
【請求項２０】
ＡＴＭ基盤の移動通信網に属する前記端末が前記ＡＴＭ基盤の移動通信網に属する前記付加サービス装置に付加サービスを要求する場合、Ｂ−ＩＳＵＰ及びＡＡＬ２を利用して、交換局（ＭＳＣ）と前記付加サービス装置との間にＡＡＬ２仮想回線を連結する過程と、
前記付加サービス装置からＡＭＲオーディオコーディングされた案内メッセージが伝送されると、前記ＡＡＬ２整合を通して前記端末に伝送する過程と、
前記案内メッセージを受信した前記端末から前記付加サービスを制御するためのデジット情報が伝送されると、該デジット情報をＤＴＭＦ信号に変換した後、ＡＡＬ２のＳＳＣＦを利用してＡＡＬ２  ＤＴＭＦ信号メッセージに形成した後、前記付加サービス装置に伝送する過程と、
前記交換局（ＭＳＣ）から伝送されるＡＡＬ２メッセージをチェックし、ＡＡＬ２  ＤＴＭＦ信号メッセージが検出されると、ＤＴＭＦ信号を分析して前記端末が所望する付加サービスを提供する工程と、を順次行うことを特徴とする請求項１３に記載の異種通信網間の付加サービスをするための連動方法。
【発明の詳細な説明】
【０００１】
【発明の属する技術分野】
本発明は、異種（ｈｅｔｅｒｏｇｅｎｅｏｕｓ）通信網間を相互連動することに係るもので、詳しくは、異種通信網間の付加サービスをするための連動装置及びその方法に関するものである。
【０００２】
【従来の技術】
従来、時間分割多重（Ｔｉｍｅ  Ｄｉｖｉｓｉｏｎ  Ｍｕｌｔｉｐｌｅｘ；以下、ＴＤＭと略称す）基盤通信網の構成においては、図１３に示したように、移動通信加入者に２世代（ｇｅｎｅｒａｔｉｏｎ）又は２．５世代移動サービスを提供するための移動端末機１０と、上記移動端末機１０と無線インターフェースを遂行する基地局（Ｂａｓｅ  Ｓｔａｔｉｏｎ  Ｓｕｂｓｙｓｔｅｍ、以下、ＢＳＳと略称す）２０と、上記基地局２０を制御するための基地局制御器（Ｂａｓｅ  Ｓｔａｔｉｏｎ  Ｃｏｎｔｒｏｌｌｅｒ；以下、ＢＳＣと略称す）３０と、上記基地局制御器３０から伝送される移動コールの処理を遂行する交換局（Ｍｏｂｉｌｅ  Ｓｗｉｔｃｈｉｎｇ  Ｃｅｎｔｅｒ；以下、ＭＳＣと略称す）４０と、上記交換局４０とＴＤＭ方式に接続されて付加サービスを提供するための付加サービス装置（Ｓｕｐｐｌｅｍｅｎｔａｒｙ  Ｓｅｒｖｉｃｅ  Ａｐｐａｒａｔｕｓ；以下、ＳＳＡと略称す）５０と、を包含して構成されていた。
【０００３】
このとき、上記基地局制御器３０と上記ＭＳＣ４０間の物理的接続（ｐｈｙｓｉｃａｌ  ｃｏｎｎｅｃｔｉｏｎ）は、ＴＤＭ基盤の回線連結（ｃｉｒｃｕｉｔｂａｓｅｄ  ｃｏｎｎｅｃｔｉｏｎ）方式に構成され、ＴＤＭ基盤の通信網を構成する各網要素もＴＤＭを基盤に相互接続される。
【０００４】
以下、このように構成されたＴＤＭ基盤の通信網の付加サービス方法に対して説明する。
【０００５】
移動通信加入者が付加サービスの一例として、自動応答サービス（Ａｕｔｏｍａｔｉｃ  Ｒｅｓｐｏｎｓｅ  Ｓｅｒｖｉｃｅ；以下、ＡＲＳと略称す）の提供を受けようとする時、移動通信加入者はＡＲＳを試図すべきであって、上記ＡＲＳをするための連結が行われると、移動通信加入者は、自動応答サービスに対する要求事項を移動端末機１０を通して入力しなければならない。次いで、上記移動端末機１０によって、入力された要求事項に相応する信号情報（デジット情報）が形成され、上記形成された信号情報は、ＭＳＣ４０でュアルトーンマルチフリーケンシー（Ｄｕａｌ  Ｔｏｎｅ  Ｍｕｌｔｉ−Ｆｒｅｑｕｅｎｃｙ；ＤＴＭＦと略称す）信号に変換されてＴＤＭ基盤の回線連結を通して付加サービス装置５０に伝送され、上記付加サービス装置５０は、受信されたＤＴＭＦ信号によって上記当の付加サービスを移動通信加入者に提供する。
【０００６】
次いで、移動端末機１０によりＡＲＳが試図されると、上記ＡＲＳは、ＴＤＭ基盤の回線を通してＢＳＣ３０を経てＭＳＣ４０までＮｏ．７信号メッセージ形態に伝送され、上記ＭＳＣ４０は、図１４に示したＮｏ．７信号方式に付加サービス装置５０と信号整合が遂行されて、ＡＲＳを提供するための音声伝達経路が形成される。
【０００７】
且つ、ＴＤＭ基盤の通信網のＤＴＭＦ信号伝送方法においては、図１５に示したように、ＡＲＳを提供するための音声伝達経路が形成され、移動通信加入者が付加サービス装置５０から送信された上記当の案内放送（Ａｎｎｏｕｎｃｅｍｅｎｔ  Ｂｒｏａｄｃａｓｔｉｎｇ）を聞くと、移動通信加入者は、ＡＲＳに対する要求事項の信号情報を付加サービス装置５０に伝達するため、通話状態の移動端末機１０の上記当のキー（ｋｅｙ）を押して所望のダイヤル情報を選択する（Ｓ１１）。
【０００８】
次いで、上記移動端末機１０は、選択されたダイヤル情報に上記当するデジット（ｄｉｇｉｔ）情報を無線区間の信号チャンネル（ｓｉｇｎａｌｉｎｇ  ｃｈａｎｎｅｌ）を通して基地局２０及びＢＳＣ３０に伝送する（Ｓ１２）。
【０００９】
次いで、上記信号チャンネルを通してＢＳＣ３０に受信された信号メッセージは、Ｎｏ．７信号メッセージ形態を通してＭＳＣ４０を経て上記当の付加サービス装置５０に伝達される。この時、上記付加サービス装置５０に信号情報が伝達される方法は、信号情報をＤＴＭＦ信号に変換する機能を、ＢＳＣ３０が包含しているか、若しくは、ＭＳＣ４０が包含しているかによって異なるが、ここでは、ＤＴＭＦ変換機能をＭＳＣ４０（若しくは核心網（Ｃｏｒｅ  Ｎｅｔｗｏｒｋ；以下、ＣＮと略称す））が包含している場合を考慮する。
【００１０】
次いで、Ｎｏ．７信号メッセージ形態の信号情報を受信した上記ＢＳＣ３０は、受信されたＮｏ．７信号メッセージをＴＤＭ基盤の回線連結を通してＭＳＣ４０に伝送する（Ｓ１３）。
【００１１】
次いで、ＭＳＣ４０は、Ｎｏ．７信号メッセージ形態に受信された移動端末機１０の信号情報を分析して、上記当の付加サービス装置５０とＴＤＭ基盤間の回線連結を形成する（Ｓ１４）。この時、上記ＭＳＣ４０と付加サービス装置５０間のＴＤＭ基盤の回線連結は、トラフィックチャンネルのための回線連結であって、上記トラフィックチャンネルのオーディオコーディング方式は、パルスコード変調（Ｐｕｌｓｅ  Ｃｏｄｅｄ  Ｍｏｄｕｌａｔｉｏｎ；以下、ＰＣＭと略称す）方式が使用される。
【００１２】
従って、上記ＭＳＣ４０は、移動通信加入者から受信された信号情報をＤＴＭＦ信号に変換した後（Ｓ１５）、ＴＤＭ基盤の回線連結を通して上記ＤＴＭＦ信号をＰＣＭ方式に付加サービス装置５０に伝送する（Ｓ１６）。
【００１３】
次いで、付加サービス装置５０は、受信されたＤＴＭＦ信号をＰＣＭ方式に分析して最終的に移動端末機１０が要求する信号情報を分析して移動通信加入者所望する付加サービスを提供する（Ｓ１７）。
【００１４】
このようにＴＤＭ基盤の通信網は、付加サービスを移動通信加入者の要求事項に従って提供するために、付加サービスをするためのコールが連結された状態で付加サービスを制御するための信号情報を、移動端末機とＭＳＣ間に信号メッセージの形態に伝送し、ＭＳＣと付加サービス装置間には、ＰＣＭオーディオコーディング方式（６４Ｋｂｐｓ帯域幅）のトラフィック形態に伝送する。従って、ＴＤＭ基盤の通信網は、移動端末機のデジット情報をＤＴＭＦ信号に変換した後、付加サービス装置とのＴＤＭ基盤との回線連結を通してＤＴＭＦ信号を伝達する。
【００１５】
【発明が解決しようとする課題】
然るに、従来ＴＤＭ基盤の通信網においては、移動通信網の構成がＴＤＭ基盤のＰＣＭ連結ではないＡＴＭ基盤の通信網に構成される場合、移動通信加入者から受信された信号を伝達するため、ＤＴＭＦ信号変換装置が接続されているＭＳＣとＡＴＭ基盤の移動通信網に接続された付加サービス装置間にＡＴＭ網に適合した回線連結方式（相互接続方式）が必要であるという不都合な点があった。
【００１６】
又、従来ＡＴＭ基盤の移動通信網においては、ＤＴＭＦ信号変換装置が接続されているＭＳＣと付加サービス装置間トラフィック連結上のオーディオコーディング方式は、３ＧＰＰ（３ｒｄ  Ｇｅｎｅｒａｔｉｏｎ  Ｐａｒｔｎｅｒｓｈｉｐ  Ｐｒｏｊｅｃｔ）により勧告されているＡＭＲ（Ａｄａｐｔｉｖｅ  Ｍｕｌｔｉ−Ｒａｔｅ）に定義される。併し、上記ＡＭＲオーディオコーディング方式は、低速帯域幅（４．７５〜１２．２Ｋｂｐｓ）を有するため、ＡＭＲオーディオコーディング方式ではＤＴＭＦ信号が正確に伝達されないという不都合な点があった。（Ｉｎｔｅｒｎａｔｉｏｎａｌ  Ｔｅｌｅｃｏｍｍｕｎｉｃａｔｉｏｎｓ  Ｕｎｉｏｎ−Ｔｅｌｅｃｏｍｍｕｎｉｃａｔｉｏｎ  Ｓｅｃｔｏｒ（ＩＴＵ−Ｔ）勧告案Ｉ．３６６．２  ＡＮＮＥＸ  Ｋ参照）。従って、ＡＴＭ基盤の移動通信網でＤＴＭＦ信号を正確に伝達し得る信号メッセージ伝達方法が必要である。
【００１７】
又、相互相違な通信網間に相互付加サービスを提供するためには、異種通信網間の付加サービス提供のための信号メッセージ整合方法が要求される。
【００１８】
即ち、ＴＤＭ基盤の通信網の移動通信加入者は、ＡＴＭ基盤通信網に接続された付加サービス装置を通しても付加サービスの提供を受けることができるので、ＡＴＭ基盤通信網の移動通信加入者がＴＤＭ基盤の通信網に接続された付加サービス装置を通して付加サービスの提供を受けようとするときは、ＴＤＭ基盤の通信網とＡＴＭ基盤通信網間に、付加サービスを提供するための信号メッセージ整合方法が要求される。
【００１９】
本発明は、このような従来の課題に鑑みてなされたもので、異種通信網で信号変換機能を有したＭＳＣと付加サービス装置とが相互連動（ｉｎｔｅｒｗｏｒｋｉｎｇ）して異種通信網間で相互付加サービスを提供し得る異種通信網間の付加サービスをするための連動装置及びその方法を提供することを目的とする。
【００２０】
又、異種通信網で付加サービスが要求される場合、案内メッセージを上記当のオーディオコーディング方式に変換して上記付加サービスを要求した移動端末機に伝送し、上記移動端末機の要請信号を上記当のトラフィックコーディング方式に変換して上記当の付加サービス装置に伝送することで、異種通信網間で音声関連付加サービスを提供し得る異種通信網間の付加サービスをするための連動装置及びその方法を提供することを目的とする。
【００２１】
【課題を解決するための手段】
このような目的を達成するため、本発明に係る異種通信網間の付加サービスをするための連動方法においては、付加サービスの要請与否を確認する過程と、付加サービスの要請に従って音声伝送及び変換を遂行する過程と、交換器から伝送された音声によって付加サービス装置を通してサービスを施行させる過程と、を順次行うことを特徴とする。
【００２２】
又、本発明に係る異種通信網間の付加サービスをするための連動方法においては、付加サービスの要求側形態に従って上記付加サービスを要求した端末機と上記付加サービスを提供する付加サービス装置間の音声コールの連結を遂行する過程と、上記付加サービス装置に採択されたオーディオコーディング方式の案内メッセージが上記付加サービス装置から伝送されると、上記端末機に採択されたオーディオコーディング方式に上記案内メッセージを変換して上記端末機に伝送する過程と、上記案内メッセージによって上記端末機から伝送された上記付加サービスを制御するためのデジット情報をＤＴＭＦ信号に変換して、上記ＤＴＭＦ信号を上記付加サービス装置が認識し得るトラフィックメッセージ形態に上記付加サービス装置に送信する過程と、上記ＤＴＭＦ信号を受信した付加サービス装置が上記ＤＴＭＦ信号に基づいて上記端末機の要求する付加サービスを提供する過程、を順次行うことを特徴とする。
【００２３】
又、本発明に係る異種通信網間の付加サービスをするための連動装置においては、付加サービスを提供する付加サービス装置と、付加サービスの要請側網の種類に従って、移動通信網及び付加サービス装置を選択的に連動する移動通信交換局と、を包含して構成されることを特徴とする。
【００２４】
本発明の連動方法は、（Ａ）付加サービスが要請されたかの与否を確認する工程と、（Ｂ）上記付加サービスの要請に従って音声伝送及び変換を遂行する工程と、（Ｃ）交換器から伝送された音声によって付加サービス装置がサービスを実行する工程と、を順次行うことを特徴とする。
【００２５】
上記（Ｂ）工程では、（Ｂ１）異種網基盤の付加サービスが要請された場合、上記付加サービスが要請された交換器と連動するための音声変換を遂行する工程が追加して行われる。
【００２６】
上記（Ｂ）工程では、（Ｂ２）同種網基盤の付加サービスが要請された場合、上記付加サービスが要請された交換器と連動するために音声メッセージ伝送を遂行する工程が追加して行われる。
【００２７】
上記（Ｂ１）工程では、サービス要請交換器と付加サービス装置間の音声コールの連結を遂行する工程と、上記音声コールの連結を通して案内メッセージを受信する工程と、上記案内メッセージをサービス要請交換器のメッセージ形態に変換する工程と、上記変換されたメッセージをサービス要請交換器に伝送する工程と、サービス要請端末機から付加されたサービスを制御するためのデジット情報を受信する工程と、上記デジット情報を変換して上記音声コールの連結を通して上記付加サービス装置に伝送する工程と、を順次行う。
【００２８】
上記案内メッセージは、ＰＣＭコーディング案内メッセージである。
【００２９】
上記デジット情報は、ＤＴＭＦ信号形態に変換される。
【００３０】
上記（Ｂ２）工程では、付加サービス装置に仮想回線を連結して案内メッセージを受信する工程と、上記案内メッセージをサービス要請端末機に伝送する工程と、上記サービス要請端末機から付加サービスを制御するためのデジット情報を受信する工程と、上記デジット情報を変換して上記付加サービス装置に伝送する工程と、を順次行う。
【００３１】
上記案内メッセージは、ＡＭＲコーディング案内メッセージである。
【００３２】
上記デジット情報は、ＡＡＬ２  ＤＴＭＦ信号メッセージの形態に変換される。
【００３３】
ＡＴＭ基盤の移動通信網に属する３Ｇ移動端末機がＴＤＭ基盤の通信網に属した付加サービス装置に付加サービスを要求する場合、ＡＴＭ基盤の移動通信網のＭＳＣと上記ＴＤＭ基盤の通信網間に、ＩＳＵＰを利用してＴＤＭ基盤の音声コールの連結を遂行する工程と、上記ＴＤＭ基盤の通信網と上記付加サービス装置間に、ＴＤＭ基盤の音声コールを連結する工程と、上記付加サービス装置からＰＣＭオーディオコーディングされた案内メッセージがＴＤＭ基盤の回線を通して上記ＭＳＣに伝送されると、上記ＰＣＭオーディオコーディングされた案内メッセージをＡＭＲオーディオコーディングされた案内メッセージに変換した後、上記３Ｇ移動端末機に伝送する工程と、上記３Ｇ移動端末機から上記付加サービスを制御するためのデジット情報が上記ＭＳＣに受信されると、上記デジット情報をＤＴＭＦ信号に変換した後、上記ＴＤＭ基盤の回線を通して上記付加サービス装置に伝送する工程と、上記ＴＤＭ基盤の回線を通して受信されたＤＴＭＦ信号を分析し、上記３Ｇ移動端末機が所望する付加サービスを提供する工程と、を順次行う。
【００３４】
ＴＤＭ基盤の通信網に属する端末機がＡＴＭ基盤の移動通信網に属する付加サービス装置に付加サービスを要求する場合、ＩＳＵＰを利用して上記ＴＤＭ基盤の通信網と上記ＡＴＭ基盤の移動通信網に接続されたＭＳＣ間にＴＤＭ基盤の回線連結を遂行する工程と、上記ＭＳＣと上記付加サービス装置間にＢ−ＩＳＵＰ及びＡＡＬ２を利用してＡＡＬ２仮想回線を連結する工程と、上記付加サービス装置からＡＭＲオーディオコーディングされた案内メッセージが上記ＭＳＣに受信されると、上記ＡＭＲオーディオコーディングされた案内メッセージをＰＣＭオーディオコーディングされた案内メッセージに変換した後、上記ＴＤＭ基盤の通信網を通して上記端末機に伝送する工程と、上記案内メッセージを受信した上記端末機から上記付加サービスを制御するためのデジット情報を上記ＴＤＭ基盤の回線を通してＤＴＭＦ信号方式に受信する工程と、上記ＤＴＭＦ信号をＡＡＬ２のＳＳＣＦを利用してＡＡＬ２  ＤＴＭＦ信号メッセージに形成した後、上記ＭＳＣから上記付加サービス装置に伝送する工程と、上記ＭＳＣから伝送されるＡＡＬ２メッセージをチェックしてＡＡＬ２  ＤＴＭＦ信号メッセージが検出されると、ＤＴＭＦ信号を分析して上記端末機が所望する付加サービスを提供する工程と、を順次行う。
【００３５】
ＡＴＭ基盤の移動通信網に属する３Ｇ移動端末機が上記ＡＴＭ基盤の移動通信網に属する付加サービス装置に付加サービスを要求する場合、Ｂ−ＩＳＵＰ及びＡＡＬ２を利用して、ＭＳＣと上記付加サービス装置間にＡＡＬ２仮想回線を連結する工程と、上記付加サービス装置からＡＭＲオーディオコーディングされた案内メッセージが伝送されると、上記ＡＡＬ２整合を通して上記３Ｇ移動端末機に伝送する工程と、上記案内メッセージを受信した３Ｇ移動端末機から上記付加サービスを制御するためのデジット情報が伝送されると、上記デジット情報をＤＴＭＦ信号に変換した後、ＡＡＬ２のＳＳＣＦを利用してＡＡＬ２  ＤＴＭＦ信号メッセージに形成した後、上記付加サービス装置に伝送する工程と、上記ＭＳＣから伝送されるＡＡＬ２メッセージをチェックし、ＡＡＬ２  ＤＴＭＦ信号メッセージが検出されると、ＤＴＭＦ信号を分析して上記３Ｇ移動端末機が所望する付加サービスを提供する工程と、を順次行う。
【００３６】
付加サービスの要求側形態によって上記付加サービスを要求した端末機と上記付加サービスを提供する付加サービス装置間の音声コールの連結を遂行する工程と、上記付加サービス装置に採択されたオーディオコーディング方式の案内メッセージが上記付加サービス装置から伝送されると、上記端末機に採択されたオーディオコーディング方式に上記案内メッセージを変換して上記端末機に伝送する工程と、上記案内メッセージによって上記端末機から伝送された上記付加サービスを制御するためのデジット情報をＤＴＭＦ信号に変換し、上記ＤＴＭＦ信号を上記付加サービス装置が認識し得るトラフィックメッセージ形態に上記付加サービス装置に送信する工程と、上記ＤＴＭＦ信号を受信した付加サービス装置が上記ＤＴＭＦ信号に基づいて上記端末機が要求する付加サービスを提供する工程と、を順次行う。
【００３７】
上記端末機及び上記付加サービス装置は、相互相違な通信網に属することができる。
【００３８】
本発明の連動装置は、付加サービスを提供する付加サービス装置と、付加サービスの要請側網の種類に従って、移動通信網と付加サービス装置が選択的に連動される移動通信交換局と、を包含して構成されることを特徴とする異種通信網間の付加サービスをする。
【００３９】
上記移動通信交換局は、付加サービスの要請に従って、同種網と回線が整合されるＡＡＬ２整合部と、付加サービスの要請に従って、異種網と回線が整合されるトランク整合部と、サービス要請網の音声コーディング方式に変換されて音声メッセージを連動させるボコーディング部と、を包含して構成される。
【００４０】
上記移動通信交換局は、移動端末機から伝送される付加サービスを制御するためのデジット情報をＤＴＭＦ信号に変換した後ＡＡＬ２信号メッセージに形成するＡＡＬ２整合部と、上記ＡＡＬ２整合部から伝送されるメッセージをＡＴＭに交換するＡＴＭスイッチと、上記ＡＴＭスイッチからスイッチングされたメッセージをＴＤＭ基盤の通信網で使用されるオーディオコーディング方式にボコーディングし、ＴＤＭ基盤の通信網から伝送されたメッセージから音声信号とＤＴＭＦ信号とを区分してＡＡＬ２整合を遂行するボコーディング部と、ＤＴＭＦ信号を送受信するＤＴＭＦ送受信部と、上記ボコーディング部及びＤＴＭＦ送受信部間に送受信されるメッセージをタイムスイッチングするタイムスイッチと、上記タイムスイッチからスイッチングされたメッセージをＴＤＭ基盤の回線と整合させるトランク整合部と、上記移動通信交換局の各構成要素を制御する各制御器と、を包含して構成される。
【００４１】
上記ボコーディング部は、上記タイムスイッチとメッセージ伝送速度を整合する速度整合部と、上記速度整合部から出力される信号メッセージからＤＴＭＦ信号を検出して、音声トラフィック整合とＤＴＭＦ信号トラフィック整合とを制御し、上記ＡＴＭスイッチからスイッチングされたＡＭＲオーディオコーディングされた案内メッセージをＰＣＭオーディオコーディングされた案内メッセージに変換するボコーダーと、上記ボコーダーの制御によって、音声信号をＡＡＬ２トラフィックメッセージに、ＤＴＭＦ信号をＡＡＬ２信号メッセージにそれぞれ変換するＡＡＬ２整合部と、を包含して構成される。
【００４２】
【発明の実施の形態】
以下、本発明の実施の形態に対し、図面を用いて説明する。
【００４３】
本発明に係る異種通信網間の付加サービスをするための連動装置においては、図１に示したように、異種通信網間の付加サービスを要請するための第１及び第２端末機と、上記第１及び第２端末機の要請によって、相互連動して第１通信網基盤の付加サービス及び第２通信網基盤の付加サービスを提供する第１通信網及び第２通信網と、を包含して構成されている。
【００４４】
又、上記第１通信網は、３世代（３  ｇｅｎｅｒａｔｉｏｎ；以下、３Ｇと略称す）移動通信網を包含し、上記第２通信網は、２Ｇ又は２．５Ｇ通信網を包含する。
【００４５】
例えば、上記３Ｇ移動通信網がＡＴＭ基盤の移動通信網であって、上記２Ｇ若しくは２．５Ｇ通信網が２Ｇ若しくは２．５Ｇ移動通信サービス及びＩＳＤＮ（Ｉｎｔｅｇｒａｔｅｄ  Ｓｅｒｖｉｃｅｓ  Ｄｉｇｉｔａｌ  Ｎｅｔｗｏｒｋ）サービスのためのＴＤＭ基盤の通信網である場合、上記第１端末機は、３Ｇ移動通信端末機（Ｍｏｂｉｌｅ  Ｔｅｒｍｉｎａｌ；以下、ＭＴと略称す）１００であって、上記第２端末機は、２Ｇ（又は２．５Ｇ）移動端末機若しくは固定端末機（Ｆｉｘｅｄ  Ｔｅｒｍｉｎａｌ；以下、ＦＴと略称す）８００でありうる。
【００４６】
又、上記ＡＴＭ基盤の移動通信網は、上記３Ｇ  ＭＴ１００と無線インターフェースを遂行するノード−Ｂ（ｎｏｄｅ−Ｂ）２００と、上記ノード−Ｂ２００を制御するための無線アクセス網制御器（Ｒａｄｉｏ  ａｃｃｅｓｓ  Ｎｅｔｗｏｒｋ  Ｃｏｎｔｒｏｌｌｅｒ；以下、ＲＮＣと略称す）３００と、上記ＲＮＣ３００とＡＴＭ接続され、上記３Ｇ  ＭＴ１００が要請する付加サービスの種類によって付加サービス装置５００又は上記ＴＤＭ基盤の通信網と連動する交換局（ＭＳＣ）４００と、上記ＭＳＣ４００とＡＴＭ方式に接続されて付加サービスを提供する付加サービス装置（ＳＳＡ）５００と、を包含して構成される。
【００４７】
又、上記ノード−Ｂ２００及びＲＮＣ３００は、無線アクセス網（ＲａｄｉｏＡｃｃｅｓｓ  Ｎｅｔｗｏｒｋ；以下、ＲＡＮと略称す）に包含され、上記ＭＳＣ４００は、核心網（ＣＮ）に包含される。
【００４８】
又、上記ＭＳＣ４００は、要請される付加サービスの種類に従って、上記当の付加サービス装置と回線を連結して上記当の付加サービス装置から伝送される案内メッセージを目的地に従って上記当のオーディオコーディング方式に送信し、上記３Ｇ  ＭＴ１００のＤＴＭＦ信号を伝達するためのトラフィック整合を遂行し、上記ＴＤＭ基盤の通信網に属するＦＴ／２Ｇ  ＭＴ８００のＤＴＭＦ信号を伝達するためのトラフィック整合を遂行する。
【００４９】
このようなＭＳＣ４００は、上記３Ｇ移動端末機１００から伝送される付加サービスを制御するためのデジット情報をＤＴＭＦ信号に変換してＡＴＭ基盤の移動通信網要素（ＲＮＣ３００、付加サービス装置５００等）とＡＡＬ２（ＡＴＭＡ  ｄａｐｔａｔｉｏｎ  Ｌａｙｅｒ  ２）整合を遂行するＡＡＬ２整合部４１０と、上記ＡＡＬ２整合部４１０から伝送されるメッセージをＡＴＭ交換するＡＴＭスイッチ４２０と、上記ＡＴＭスイッチ４２０からスイッチングされたメッセージをＴＤＭ基盤の通信網で使用するオーディオコーディング方式にボコーディングし、ＴＤＭ基盤の通信網から伝送されたメッセージから音声信号とＤＴＭＦ信号とを区分してＡＡＬ２整合を遂行するボコーディング部４３０と、ＭＳＣ４００自体の案内放送出力機能及び多者（ｍｕｌｔｉ−ｐｏｉｎｔ）間の同時通話機能を提供する案内放送送出部／コールミキシング部（ａｎｎｏｕｎｃｅｍｅｎｔ  ｕｎｉｔ／ｃａｌｌ  ｍｉｘｅｒ；以下、ＡＮＭ／ＣＭＸと略称す）４５０と、ＤＴＭＦ信号を送受信するＤＴＭＦ送受信部４６０と、上記ボコーディング部４３０、ＡＮＭ／ＣＭＸ４５０及びＤＴＭＦ送受信部４６０間に送受信されるメッセージをタイムスイッチングするタイムスイッチ４４０と、上記タイムスイッチ４４０からスイッチングされたメッセージをＴＤＭ基盤の回線と整合させるトランク整合部４７０と、上記ＭＳＣ４００の各構成要素を制御する各制御器４１５、４２５、４３５、４４５と、を包含して構成される。
【００５０】
又、上記ボコーディング部４３０は、上記タイムスイッチ４４０とメッセージ伝送速度を整合する速度整合部（Ｒａｔｅ  Ａｄａｐｔａｔｉｏｎ  Ｕｎｉｔ）４３３と、上記速度整合部４３３から出力される信号メッセージからＤＴＭＦ信号を検出し、音声トラフィック整合及びＤＴＭＦ信号トラフィック整合を制御して、上記ＡＴＭスイッチ４２０からスイッチングされてＡＭＲオーディオコーディングされた案内メッセージをＰＣＭオーディオコーディングされた案内メッセージに変換するボコーダー４３２と、上記ボコーダー４３２の制御によって、音声信号をＡＡＬ２トラフィックメッセージに、ＤＴＭＦ信号をＡＡＬ２信号メッセージにそれぞれ変換するＡＡＬ２整合部４３１と、を包含して構成される。
【００５１】
又、上記付加サービス装置５００は、上記ＭＳＣ４００にＡＴＭ物理的整合をするための物理階層機能部（ｐｈｙｓｉｃａｌ  ｌａｙｅｒ  ｆｕｎｃｔｉｏｎｕｎｉｔ；以下、ＡＴＭと略称す）５１０、５５０と、上記ＭＳＣ４００にＡＡＬ２整合を遂行するためのＡＡＬ２整合部５２０、５６０）と、上記ＡＡＬ２５２０に接続されてＡＭＲオーディオインコーディング／デコーディングを遂行するボコーダー５３０と、上記ボコーダー５３０に接続されて、音声付加サービスをするための案内放送を遂行する案内放送部５４０と、上記ＡＡＬ２５６０に接続されて、音声付加サービスを制御するためのＤＴＭＦ信号を送受信するＤＴＭＦ送受信部５７０と、を包含して構成される。
【００５２】
又、上記ＴＤＭ基盤の通信網は、ＴＤＭ通信網基盤の付加サービスを提供するインターネットサービス提供装置（Ｉｎｔｅｒｎｅｔ  Ｓｅｒｖｉｃｅ  Ｐｒｏｖｉｄｅｒ；以下、ＩＳＰと略称す）７００と、要請された付加サービスの種類によって上記ＡＴＭ基盤の移動通信網及び上記ＩＳＰ７００と選択的に連動するＩＳＤＮ／２Ｇ  ＰＬＭＮ（Ｉｎｔｅｇｒａｔｅｄ  Ｓｅｒｖｉｃｅｓ  Ｄｉｇｉｔａｌ  Ｎｅｔｗｏｒｋ／２  Ｇｅｎｅｒａｔｉｏｎ  Ｐｕｂｌｉｃ  Ｌａｎｄ  Ｍｏｂｉｌｅ  Ｎｅｔｗｏｒｋ）６００の交換器（図示せず）と、を包含して構成される。
【００５３】
以下、本発明の目的によって、異種通信網間の付加サービスを提供するための実施形態に対して説明する。
【００５４】
即ち、付加サービスが要請されると、上記要請を受信した網の交換局は、同種の網から要請された付加サービスであるかを確認し、同種の網から要請された付加サービスであると、上記交換局は、付加サービス装置から伝送される音声メッセージを加入者に伝送し、同種の網から要請された付加サービスでないと、上記交換局は、上記付加サービス装置から伝送される音声メッセージを付加サービスの要請網の交換局が認識し得るメッセージ形態に変換した後、付加サービスの要請網に伝送する。
【００５５】
そして、本発明に係る異種通信網間の付加サービスを提供するための方法においては、図２に示したように、付加サービスの要請が受信されると（Ｓ２０）、上記要請を受信した網は、要請された付加サービスの種類を判断する。即ち、上記網は、自己側網基盤付加サービスを要請するか相手側網基盤付加サービスを要請するかを判断する。
【００５６】
次いで、自己側網基盤端末による自己側網基盤付加サービスの要請を受信した場合、上記網は、相対側網基盤端末による自己側網基盤付加サービスを提供する手順を行う（Ｓ３０）（Ｓ４０）。
【００５７】
且つ、自己側網基盤端末による相手側網基盤付加サービスの要請を受信した場合、上記網は、相手側網と連動して相手側網基盤付加サービスを提供する手順を行う（Ｓ５０）（Ｓ６０）。
【００５８】
又、相手側網基盤端末による自己側網基盤付加サービスの要請を受信した場合、上記網は、相手側網と連動して自己側網基盤付加サービスを提供する要請を受信する（Ｓ７０）（Ｓ８０）。
【００５９】
そして、本発明の第１実施形態として、自己側網がＡＴＭ移動通信網で、相手側網がＴＤＭ網である場合、異種網間の連動によって付加サービスを提供する方法に対して説明すると次のようである。
【００６０】
即ち、ＡＴＭ移動通信網のＭＳＣ４００は、付加サービスの要請を受信するとＳ２０、要請された付加サービスの種類を判断する。
【００６１】
要請された付加サービスが３Ｇ  ＭＴ１００から要請されたＡＴＭ網基盤付加サービスであると（Ｓ３０）、ＭＳＣ４００は、ＡＴＭ網基盤の付加サービスを３Ｇ  ＭＴ１００に提供する手順を行う（Ｓ４０）。
【００６２】
上記要請された付加サービスが３Ｇ  ＭＴ１００から要請されたＴＤＭ網基盤付加サービスであると（Ｓ５０）、ＭＳＣ４００は、ＴＤＭ網と連動してＴＤＭ網基盤付加サービスを３Ｇ  ＭＴ１００に提供する手順を行う（Ｓ６０）。
【００６３】
上記要請された付加サービスがＴＤＭ網から要請されたＡＴＭ網基盤付加サービスであると（Ｓ７０）、ＭＳＣ４００は、ＴＤＭ網と連動してＡＴＭ網基盤付加サービスをＴＤＭ網のＦＴ／２Ｇ  ＭＴ８００に提供する（Ｓ８０）。
【００６４】
先ず、３Ｇ  ＭＴ１００がＡＴＭ網基盤付加サービスを要請した場合に対して説明する。
【００６５】
図３には、ＡＴＭ網のＭＳＣ４００が３Ｇ  ＭＴ１００からＡＴＭ網基盤付加サービスの要請を受信した場合、付加サービスを提供する方法が示されている。
【００６６】
３Ｇ  ＭＴ１００がＡＴＭ網基盤付加サービスの一例として、音声メーリング（ｍａｉｌｉｎｇ）サービスをＡＴＭ網に要求すると、ＭＳＣ４００は、３Ｇ移動端末機１００から伝送された信号メッセージを分析した後、ＡＴＭ網に属する付加サービス装置（一例として、音声メーリングシステム（Ｖｏｉｃｅ  Ｍａｉｌｉｎｇ  Ｓｙｓｔｅｍ；以下、ＶＭＳと略称す））５００と音声コールの連結（ｃｏｎｎｅｃｔｉｏｎ）を遂行する（Ｓ４１）。即ち、ＭＳＣ４００と付加サービス装置５００間には、図４に示したように、ＡＴＭ基盤の網間信号プロトコールのＢ−ＩＳＵＰ（Ｂｒｏａｄｂａｎｄ  ＩＳＤＮ  Ｕｓｅｒ  Ｐａｒｔ）を使用して仮想回線（ｖｉｒｔｕａｌ  ｃｉｒｃｕｉｔ）が連結される。このとき、Ｂ−ＩＳＵＰ信号メッセージを通して仮想回線が連結される過程で、３Ｇ移動端末機１００に伝達されるべきトラフィックがＡＡＬ２メッセージ形態に伝達されるように、ＡＡＬ２関連媒介の変数がＭＳＣ４００と付加サービス装置５００相互間に伝達され、又、特別にＡＡＬ２音声コールを連結するための信号メッセージ処理がＩＴＵ−Ｔ規格のＱ．２６３．１に基づいて遂行される。
【００６７】
ＭＳＣ４００と付加サービス装置５００間の音声コールが連結されると、付加サービス装置５００は、連結された通話路を通して案内放送を送出する。
【００６８】
又、図５は、付加サービス装置を包含するＡＴＭ網における各網要素間の音声トラフィックを整合するためのプロトコールスタックを示した図で、図示されたように、ＡＴＭ網の各網要素間の物理的整合は、ＡＴＭを基盤に接続され、音声のようなオーディオコーディング方式は、３ＧＰＰ標準勧告案に提示されたＡＭＲ音声コーディング方式が採択される。従って、付加サービス装置５００の案内放送部５４０が案内放送を出力すると、ボコーダー５３０は、出力された案内放送をＡＭＲオーディオコーディング方式に変換し、上記ＡＭＲオーディオコーディングされた案内放送メッセージは、ＡＡＬ２５２０でＡＡＬ２メッセージ形態に変換された後、ＡＴＭ５１０を経てＭＳＣ４００に伝送される（Ｓ４２）。
【００６９】
次いで、ＭＳＣ４００は、受信されてＡＭＲオーディオコーディングされた案内メッセージをＡＡＬ２メッセージ形態にＲＮＣ３００及びノード−Ｂ２００を経て３Ｇ  ＭＴ１００に伝送し、移動通信加入者は、３Ｇ  ＭＴ１００を通して案内メッセージを聞くようになっている（Ｓ４３）。このようにＭＳＣ４００は、付加サービス装置５００から伝達されるＡＡＬ２音声トラフィックを中間の変換無しにＡＡＬ２スイッチングを通してＲＡＮ（ＲＮＣ３００）に透明に（ｔｒａｎｓｐａｒｅｎｔ）伝達される。上記案内メッセージを受信した移動通信加入者がサービス受けようとする付加サービスを選択するために上記当のデジット情報を３Ｇ移動端末機１００を通して入力すると、３Ｇ移動端末機１００はそのデジット情報を無線インターフェースを通してノード−Ｂ２００で（に）送信してノード−Ｂ２００に受信されたデジット情報を包含する信号メッセージ（ｓｉｇｎａｌｉｎｇ  ｍｅｓｓａｇｅ）はＲＮＣ３００を経てＭＳＣ４００に伝送される（Ｓ４４）。
【００７０】
図６には、付加サービス装置５００を包含するＡＴＭ網のＭＳＣ４００と付加サービス装置５００間にＤＴＭＦ信号を伝達するためのトラフィック整合プロトコールスタックが表示され、図示されたように、上記デジット情報が含まれた信号メッセージを受信したＭＳＣ４００は、上記デジット情報をＡＡＬ２  ＤＴＭＦ信号メッセージ形態に変換して、予め形成されたＡＡＬ２仮想回線を通して付加サービス装置５００に伝送する（Ｓ４５、Ｓ４６）。
【００７１】
即ち、ＭＳＣ４００のＡＡＬ２整合部４１０は、ＲＮＣ３００から伝送されるデジット情報を受信すると、上記制御器４１５にデジット情報受信を報告して、上記制御器４１５は、プロセッサー間通信（Ｉｎｔｅｒ  Ｐｒｏｃｅｓｓｏｒ  Ｃｏｍｍｕｎｉｃａｔｉｏｎ；以下、ＩＰＣと略称す）方式を通して上記当のＡＡＬ２整合部４１０に信号メッセージ変換を命令し、上記ＡＡＬ２整合部４１０は、上記デジット情報をＤＴＭＦ信号に変換して特定サービス整合機能（Ｓｅｒｖｉｃｅ  Ｓｐｅｃｉｆｉｃ  Ｃｏｎｖｅｒｇｅｎｃｅ  Ｆｕｎｃｔｉｏｎ；以下、ＳＳＣＦと略称す）を活用してＡＡＬ２  ＤＴＭＦ信号メッセージに形成した後（Ｓ４０）、上記ＡＡＬ２  ＤＴＭＦ信号メッセージを上記段階Ｓ３２で形成されたＡＡＬ２仮想回線を通して付加サービス装置５００に送信する（図１のＢ参照）。
【００７２】
ＩＴＵ−Ｔ勧告Ｉ．３６６．２によると、ＡＡＬ２メッセージのヘッダ（ｈｅａｄｅｒ）の特定マーキング（ｍａｒｋｉｎｇ）により任意のＡＡＬ２メッセージがトラフィックメッセージ認知信号（ｓｉｇｎａｌｉｎｇ）メッセージであるかを区別することができる。従って、本発明においては、ＤＴＭＦ信号をＡＡＬ２メッセージに変換する時、ヘッダに信号メッセージであることを表示してＡＡＬ２パケットタイプ３の信号メッセージ（ＡＡＬ２  ＳＳＣＦメッセージ；ＡＡＬ２信号メッセージ）に変換する。
【００７３】
一方、付加サービス装置５００は、ＭＳＣ４００から伝送されるＡＡＬ２メッセージを持続的にチェックし、ＤＴＭＦ信号が包含されているＡＡＬ２信号メッセージ（ＡＡＬ２  ＤＴＭＦ信号メッセージ）が認知されると、移動通信加入者が入力したデジット情報を分析して上記分析されたデジット情報によって実際に要請された付加サービスを移動通信加入者に提供する（Ｓ４７）。
【００７４】
このようにＡＴＭ移動通信網に属する付加サービス装置により３Ｇ移動通信加入者が付加サービスを要求する場合、ＡＴＭ移動通信網のＭＳＣと上記付加サービス装置間にＢ−ＩＳＵＰを利用してＡＡＬ２仮想回線を連結し、上記連結されたＡＡＬ２仮想回線を通してＡＭＲオーディオコーディングされた案内メッセージを３Ｇ移動通信加入者側に伝送し、上記３Ｇ移動通信加入者から伝送される付加サービスを制御するためのデジット情報をＡＡＬ２  ＤＴＭＦ信号メッセージに変換した後、上記ＡＡＬ２仮想回線を通して上記ＡＡＬ２  ＤＴＭＦ信号メッセージを付加サービス装置に伝送することで、ＡＴＭ移動通信網は、３Ｇ移動通信加入者が所望する付加サービスを提供することができる。
【００７５】
以下、３Ｇ  ＭＴ１００がＴＤＭ通信網基盤の付加サービスを要請した場合に対して説明する。
【００７６】
図７には、ＡＴＭ移動通信網のＭＳＣ４００が３Ｇ  ＭＴ１００からＴＤＭ通信網基盤の付加サービスの要請を受信した場合に、付加サービスを提供する方法が表示されている。図示されたように、３Ｇ  ＭＴ１００がＴＤＭ基盤の通信網６００に属する付加サービス装置（例えば、インターネットサービス提供装置（Ｉｎｔｅｒｎｅｔ  Ｓｅｒｖｉｃｅ  Ｐｒｏｖｉｄｅｒ；以下、ＩＳＰと略称す）７００に付加サービスを要請した場合、ＡＴＭ移動通信網のＭＳＣ４００が、ＩＳＵＰを利用してＴＤＭ通信網６００にＴＤＭ基盤の音声コールの連結を遂行すると（Ｓ６１）、ＴＤＭ通信網６００は、ＴＤＭ通信網６００に属するＩＳＰ７００とＴＤＭ基盤の回線連結を遂行する（Ｓ６２）。
【００７７】
図８には、ＡＴＭ基盤の移動通信網とＴＤＭ基盤の通信網６００に属するＩＳＰ７００間の音声トラフィック整合プロトコールスタックが表示され、図示されたように、ＩＳＰ７００は、ＰＣＭオーディオコーディングされた案内メッセージを上記連結されたＴＤＭ基盤の回線を通してＡＴＭ基盤の移動通信網に属するＭＳＣ４００に伝送する（Ｓ６３）。
【００７８】
次いで、ＭＳＣ４００は、ＴＤＭ基盤の回線を通して伝送されたＰＣＭオーディオコーディングされた案内メッセージをボコーディング部４３０でＡＭＲコーディング案内メッセージに変換した後、ＲＮＣ３００及びノード−Ｂ２００を通して３Ｇ移動端末機１００に伝送する（Ｓ６４）（図１のＣ）。
【００７９】
次いで、３Ｇ移動端末機１００に受信された案内メッセージを聞いた移動通信加入者は、案内メッセージによってサービスを受けようとする付加サービス番コールを入力し、上記当のデジット情報をＭＳＣ４００に送信する（Ｓ６５）。
【００８０】
図９には、ＡＴＭ移動通信網に属する３Ｇ移動端末機とＴＤＭ通信網に属する付加サービス装置間の付加サービスを制御するための信号トラフィック整合プロトコールスタックが表示され、図示されたように、３Ｇ移動端末機１００からデジット情報が信号メッセージ形態に受信されると、ＭＳＣ４００のＡＡＬ２整合部４１０は、制御器４１５に信号メッセージの受信を報告して、上記制御器４１５は、各制御器４２５、４４５を経てＤＴＭＦ送受信部４６０に上記デジット情報をＤＴＭＦ信号に変換することを命令すると、上記ＤＴＭＦ送受信部４６０は、上記デジット情報をＤＴＭＦ信号に変換した後（Ｓ６６）、タイムスイッチ４４０及びトランク整合部４７０を経てＴＤＭ基盤の通信網６００に送信する。次いで、ＤＴＭＦ信号は、ＴＤＭ基盤の回線を通してＴＤＭ基盤移動通信網６００を経た後、ＩＳＰ７００に伝送される（Ｓ６７）（図１のＤ）。
【００８１】
ＩＳＰ７００は、受信されたＤＴＭＦ信号を分析してＡＴＭ移動通信網の加入者が要求するサービスを提供する（Ｓ６８）。
【００８２】
このように、ＡＴＭ移動通信網の加入者がＴＤＭ通信網に属する付加サービス装置に付加サービスを要求する場合、ＡＴＭ基盤の移動通信網のＭＳＣは、ＴＤＭ基盤の通信網及びＩＳＵＰを利用してＴＤＭ基盤の回線連結を遂行し、ＴＤＭ基盤の通信網は、上記付加サービス装置にＴＤＭ基盤の回線を連結し、上記付加サービス装置は、上記ＴＤＭ基盤の回線を通してＰＣＭオーディオコーディング方式の案内メッセージを伝送し、ＡＴＭ基盤の移動通信網のＭＳＣは、上記オーディオコーディング方式の案内メッセージをＡＭＲオーディオコーディング方式の案内メッセージに変換した後、上記ＡＴＭ基盤の移動通信網の加入定規に伝送し、付加サービス装置は、案内メッセージに変換した後、上記ＡＴＭ基盤の移動通信網の加入者に伝送し、上記ＡＴＭ基盤の移動通信網の加入者から入力されたデジット情報を上記ＭＳＣがＤＴＭＦ信号に変換した後、上記ＴＤＭ基盤の回線を利用して上記付加サービス装置に伝送する。従って、ＡＴＭ基盤の移動通信網の加入者は、既存のＴＤＭ基盤の通信網が提供する付加サービスを受けることができる。
【００８３】
以下、ＦＴ／２Ｇ  ＭＴ１００がＡＴＭ網基盤付加サービスを要請した場合に対して説明する。
【００８４】
ＡＴＭ移動通信網のＴＤＭ通信網のＦＴ／２Ｇ  ＭＴ８００に付加サービスを提供する方法においては、図１０に示したように、ＩＳＤＮ／２Ｇ  ＰＬＭＮなどのＴＤＭ通信網６００に属するＦＴ／２Ｇ  ＭＴ８００がＡＴＭ基盤の音声メーリングサービス（ｖｏｉｃｅ  ｍａｉｌｉｎｇ  ｓｅｒｖｉｃｅ）を要請した場合、ＩＳＤＮ／２Ｇ  ＰＬＭＮ６００の交換器は、ＡＴＭ移動通信網に音声コールの連結を試図する。
【００８５】
この時、ＴＤＭ通信網６００とＡＴＭ移動通信網との接続は、現在、３ＧＰＰでＴＤＭ基盤のＰＣＭ接続を勧告しているので、音声コールの接続は、ＩＴＵ−Ｔで勧告するＩＳＵＰ信号メッセージを使用して遂行される（Ｓ８１）。
【００８６】
次いで、上記ＡＴＭ移動通信網のＭＳＣ４００は、ＴＤＭ通信網６００から伝送された音声コール接続要求を基準に、上記ＴＤＭ通信網６００の加入者が所望するサービスを提供する付加サービス装置５００と、ＡＴＭを基盤にＢ−ＩＳＵＰ信号メッセージを利用して仮想回線を連結する。この時、ＡＴＭ移動通信網のトラフィックがＡＡＬ２メッセージに伝達されるように、ＩＴＵ−Ｔ勧告Ｑ．２６３０．１信号手順によってトラフィックの連結が行われる（Ｓ８２）。次いで、ＡＴＭ移動通信網内部の音声ボコーディング形態に上記当するＡＭＲ音声ボコーダー（付加サービス装置５００のボコーダー５３０及びＭＳＣ４００のボコーダー４３２）が選択される。
【００８７】
ＭＳＣ４００と付加サービス装置５００間の音声コールが連結されると、付加サービス装置５００は、連結された通話路を通して案内放送を送出する。
【００８８】
即ち、図１１には、ＡＴＭ基盤の移動通信網に属するＭＳＣ４００及び付加サービス装置５００とＴＤＭ基盤の通信網６００に属する固定端末機８００間の音声トラフィックを整合するためのプロトコールスタックが表示され、図示されたように、上記付加サービス装置５００は、ＰＣＭ形態の案内メッセージをＡＭＲオーディオコーディング方式の案内メッセージに形成した後、ＡＡＬ２５２０及びＡＴＭ５１０を通してＭＳＣ４００に伝送する（Ｓ８３）。
【００８９】
次いで、ＭＳＣ４００のボコーディング部４３０は、ＡＭＲオーディオコーディングされた案内メッセージをＰＣＭオーディオコーディングされた案内メッセージに変換し、上記ＰＣＭオーディオコーディングされた案内メッセージは、タイムスイッチ４４０及びトランク整合部４７０を経てＴＤＭ通信網６００に送信される（Ｓ８４）。
【００９０】
次いで、ＴＤＭ通信網６００は、ＡＴＭ移動通信網のＭＳＣ４００から伝送されてＰＣＭオーディオコーディングされた案内メッセージをＦＴ／２Ｇ  ＭＴ８００に送信する（図１のＥ）。
【００９１】
次いで、ＴＤＭ通信網６００の加入者は、ＡＴＭ移動通信網に接続された付加サービス装置５００から伝送される音声メーリングサービス案内放送によって、所望のサービスを制御するためのデジット情報をＴＤＭ通信網６００に送信し、ＴＤＭ通信網６００の交換器は、受信されたデジット情報をＤＴＭＦ信号に変換する。
【００９２】
図１２には、ＴＤＭ通信網６００に属するＦＴ／２Ｇ  ＭＴ８００とＡＴＭ移動通信網に属するＭＳＣ４００及び付加サービス装置５００間の付加サービスを制御するための信号トラフィック整合プロトコールのスタックが表示されている。
【００９３】
即ち、上記ＴＤＭ通信網６００は、ＴＤＭ方式の６４Ｋｂｐｓ速度（ｒａｔｅ）を有する回線チャンネル（ｃｉｒｃｕｉｔｅｄ  ｃｈａｎｎｅｌ）を通してＰＣＭ形態のＤＴＭＦ信号をＡＴＭ基盤の移動通信網のＭＳＣ４００に伝送し（Ｓ８５）、上記ＡＴＭ移動通信網は、ＴＤＭのＰＣＭ情報を音声チャンネルと同様に認識するために、トラフィックチャンネルに受信されるＤＴＭＦ信号を無条件音声信号に変換してしまうと、上記付加サービス装置５００が上記当のＤＴＭＦ信号を認識することができなくなる。
【００９４】
従って、本発明に係るＭＳＣ４００のボコーディング部４３０は、上記ＴＤＭ通信網６００から伝送される音声信号とＤＴＭＦ信号（付加サービスを制御するための信号）とを区分して付加サービス装置５００に伝送する。
【００９５】
即ち、図１に示したように、上記ＭＳＣ４００のボコーディング部４３０は、上記ＴＤＭ通信網６００から伝送された信号が音声信号の場合、上記ボコーダー４３２でＰＣＭ音声信号をＡＭＲに変換した後、ＡＡＬ２整合部４３１でＡＡＬ２トラフィックメッセージに形成する。次いで、上記ＭＳＣ４００のボコーディング部４３０は、上記ＴＤＭ通信網６００から伝送された信号がＤＴＭＦ信号の場合、ＤＴＭＦ信号のデジットを分析した後、ＳＳＣＦを利用してＡＡＬ２  ＤＴＭＦ信号メッセージに変換して付加サービス装置５００に伝送する（Ｓ８６）。上記段階Ｓ６６のＡＡＬ２  ＤＴＭＦ信号メッセージ変換は、ＩＴＵ−Ｔ勧告案Ｉ．３６６．２に基づいて遂行される。
【００９６】
一方、案内放送を送出した付加サービス装置５００は、ＭＳＣ４００から伝送されるＡＡＬ２メッセージをチェックして、音声信号でないＤＴＭＦ信号を包含したＡＡＬ２信号メッセージが認知されると、そのＤＴＭＦ信号を分析してＴＤＭ基盤の通信網６００の加入者が所望するサービスを提供する（Ｓ８７）（図１のＦ）。
【００９７】
上記のようにＡＴＭ移動通信網に属する付加サービス装置にＴＤＭ通信網の加入者がサービスを要求する場合、ＡＴＭ移動通信網のＭＳＣとＴＤＭ通信網間には、ＩＳＵＰを利用してＴＤＭ基盤の回線を連結し、上記ＭＳＣと上記付加サービス装置間には、Ｂ−ＩＳＵＰ及びＡＡＬ２を利用してＡＡＬ２仮想回線を連結する。且つ、上記付加サービス装置が上記ＡＡＬ２仮想回線を通してＡＭＲオーディオコーディングされた案内メッセージを上記ＭＳＣに伝送し、上記ＭＳＣは、上記ＡＭＲオーディオコーディングされた案内メッセージをＰＣＭオーディオコーディングされた案内メッセージに変換した後、上記ＴＤＭ基盤の回線を通して上記ＴＤＭ基盤の通信網に送信する。従って、付加サービスを制御するための信号（デジット情報）がＴＤＭ基盤の通信網のＤＴＭＦ信号に変換された後、上記ＴＤＭ基盤の回線を通して上記ＭＳＣに伝送されると、上記ＭＳＣは、上記ＤＴＭＦ信号をＡＡＬ２信号メッセージに変換して上記付加サービス装置に伝送することで、上記付加サービス装置がＴＤＭ通信網から伝送されたＤＴＭＦ信号によって上記当の付加サービスをＴＤＭ通信網の加入者に提供することができる。
【００９８】
【発明の効果】
以上説明したように、本発明に係る異種通信網間の付加サービスをするための連動装置及びその方法においては、異種通信網間に付加サービスが要求される場合、案内メッセージを上記当の通信網で認識し得るオーディオコーディング方式に変換して伝送し、移動通信加入者から伝送されるデジット情報を上記当の通信網で認識し得るトラフィックコーディング方式に変換した後、上記当の付加サービス装置に伝送することで、異種通信網間に付加サービスを提供し得るという効果がある。
【００９９】
且つ、本発明に係る異種通信網間の付加サービスをするための連動装置及びその方法においては、ＡＴＭ基盤の移動通信網のＭＳＣがＡＭＲオーディオコーディングされた案内メッセージとＰＣＭオーディオコーディングされた案内メッセージとを相互変換して、ＤＴＭＦ信号を付加サービス装置が位置する網によってＡＴＭ基盤回線に整合させるか又は、ＴＤＭ基盤の回線に整合させることで、ＴＤＭ基盤の移動通信網が提供する付加サービスを３Ｇ移動通信加入者にも提供することができるし、ＡＴＭ基盤の移動通信網が提供する付加サービスをＴＤＭ基盤の通信網の加入者にも提供し得るという効果がある。
【図面の簡単な説明】
【図１】本発明に係る異種通信網間の付加サービスを提供するための連動装置の構成を示したブロック図である。
【図２】本発明に係る異種通信網間の付加サービスを提供するための連動方法を示したフローチャートである。
【図３】ＡＴＭ通信網基盤の付加サービスを３Ｇ移動端末機に提供する方法を示したフローチャートである。
【図４】ＡＴＭ通信網のＤＴＭＦ変換機能を包含するＭＳＣと付加サービス装置間の信号整合プロトコールスタックを示した図である。
【図５】付加サービス装置を包含するＡＴＭ基盤通信網の各網要素間の音声トラフィックを整合するためのプロトコールスタックを示した図である。
【図６】付加サービス装置を包含するＡＴＭ基盤通信網のＭＳＣと付加サービス装置間のＤＴＭＦ信号を伝達するためのトラフィック整合プロトコールスタックを示した図である。
【図７】ＴＤＭ通信網基盤の付加サービスを３Ｇ移動端末機に提供する方法を示したフローチャートである。
【図８】ＡＴＭ基盤通信網に属するＭＳＣ及び付加サービス装置とＴＤＭ基盤の通信網間の音声トラフィックを整合するためのプロトコールスタックを示した図である。
【図９】ＴＤＭ基盤の通信網に属する固定端末機とＡＴＭ基盤通信網に属するＭＳＣ及び付加サービス装置間との付加サービスを制御するための信号トラフィックの整合プロトコールスタックを示した図である。
【図１０】ＡＴＭ通信網基盤の付加サービスを２Ｇ端末機に提供する方法を示したフローチャートである。
【図１１】ＡＴＭ基盤通信網とＴＤＭ基盤の通信網に属する付加サービス装置（ＩＳＰ）間の音声トラフィック整合プロトコールスタックを示した図である。
【図１２】ＡＴＭ基盤通信網に属する３Ｇ移動端末機とＴＤＭ基盤の通信網に属する付加サービス装置間の付加サービスを制御するための信号トラフィックの整合プロトコールスタックを示した図である。
【図１３】ＴＤＭ基盤の通信網の構成を示したブロック図である。
【図１４】ＴＤＭ基盤の通信網のＭＳＣと付加サービス装置間の信号を整合するためのプロトコールスタックの構造を示した図である。
【図１５】ＴＤＭ基盤の通信網のＤＴＭＦ信号伝送方法を示したフローチャートである。
【符号の説明】
１００  ３Ｇ  ＭＴ
２００  ノード−Ｂ
３００  ＲＮＣ
４００  ＭＳＣ
５００  付加サービス装置
６００  ＩＳＤＮ／２Ｇ  ＰＬＭＮ
７００  ＩＳＰ
８００  ＦＴ／２Ｇ  ＭＴ
【図１】
0003840534.tif 000002
【図２】
0003840534.tif 000003
【図３】
0003840534.tif 000004
【図４】
0003840534.tif 000005
【図５】
0003840534.tif 000006
【図６】
0003840534.tif 000007
【図７】
0003840534.tif 000008
【図８】
0003840534.tif 000009
【図９】
0003840534.tif 000010
【図１０】
0003840534.tif 000011
【図１１】
0003840534.tif 000012
【図１２】
0003840534.tif 000013
【図１３】
0003840534.tif 000014
【図１４】
0003840534.tif 000015
【図１５】
0003840534.tif 000016